(57)【要約】【課題】血漿を流す流路へ血球が混入するのを防止しつつ、安全マージン層によって回収不能な血漿量を、従来に比べて削減する。【解決手段】血漿回収チップは、血液試料Ｓを流路幅方向一方側の血漿層２１と流路幅方向他方側の血球層２２とに分離するための分離用流路４と、この分離用流路４の下流側に設けられ、血漿層２１の血漿を流入させる第一流路部１１及び血球層２２の血球を流入させる第二流路部１２を有する回収流路６とを備えている。回収流路６は、分離用流路４と比較して流路幅方向に拡大されかつ流路厚さ方向に縮小されている断面変化流路部９と、この断面変化流路部９を流れる血漿層２１と血球層２２との境界面２３よりも血漿層２１側に設けられ断面変化流路部９を第一流路部１１と第二流路部１２とに分岐させる分岐壁１７とを有している。【選択図】      図２
2013170990.tif 000002
【特許請求の範囲】
【請求項１】
血球及び血漿を含む血液試料が層流となって流れる流路を備え、この流路において血球と血漿とを分離して血漿を回収するための分離回収チップであって、
前記血液試料を流路幅方向一方側の血漿層と流路幅方向他方側の血球層とに分離するための分離用流路と、
この分離用流路の下流側に設けられ、前記血漿層の血漿を流入させる第一流路部及び前記血球層の血球を流入させる第二流路部を有する回収流路と、を備え、
前記回収流路は、
前記分離用流路と比較して前記流路幅方向に拡大されかつ流路厚さ方向に縮小されている断面変化流路部と、
この断面変化流路部を流れる血漿層と血球層との境界面よりも血漿層側に設けられ当該断面変化流路部を前記第一流路部と前記第二流路部とに分岐させる分岐部と、
を有していることを特徴とする分離回収チップ。
【請求項２】
前記断面変化流路部の断面積は、前記分離用流路の断面積と同じである請求項１に記載の分離回収チップ。
【請求項３】
前記分離用流路は、慣性力に基づいて血漿層と血球層とに分離するために当該慣性力の作用方向が前記流路幅方向他方側となる流路構成を有し、
前記断面変化流路部において、流路幅方向他方側への拡大量は、流路幅方向一方側への拡大量よりも大きい請求項１又は２に記載の分離回収チップ。
【請求項４】
前記分離用流路の下流側流路部と前記回収流路の前記断面変化流路部との間に設けられ、当該下流側流路部から当該断面変化流路部へと流路断面を連続的又は段階的に変化させる遷移流路を更に備えている請求項１〜３のいずれか一項に記載の分離回収チップ。
【請求項５】
血球及び血漿を含む血液試料を層流として流路を流し、この血液試料中の血球と血漿とを分離して血漿を回収する分離回収方法であって、
前記血液試料が流路に沿って流れるに伴い当該血液試料を流路幅方向一方側の血漿層と流路幅方向他方側の血球層とに分離し、
前記血漿層を流路幅方向に拡大させかつ流路厚さ方向に縮小させ、
この血漿層と血球層との境界面よりも血漿層側で分岐させた流路部に、当該血漿層の血漿を流入させることを特徴とする分離回収方法。
【請求項６】
複数の成分を含む混合液が層流となって流れる流路を備え、この流路において前記混合液を成分毎に分離して回収するための分離回収チップであって、
前記混合液を流路幅方向一方側から他方側へ向かって成分毎の層に分離するための分離用流路と、
この分離用流路の下流側に設けられ、分離させた各層に含まれる成分をそれぞれ流入させる流路部を複数有する回収流路と、を備え、
前記回収流路は、
前記分離用流路と比較して前記流路幅方向に拡大されかつ流路厚さ方向に縮小されている断面変化流路部と、
この断面変化流路部を流れる層間の境界面よりも流路幅方向に設けられ当該断面変化流路部を複数の前記流路部に分岐させる分岐部と、
を有していることを特徴とする分離回収チップ。
【請求項７】
複数の成分を含む混合液を層流として流路を流し、この混合液を成分毎に分離して回収する分離回収方法であって、
前記混合液が流路に沿って流れるに伴い流路幅方向一方側から他方側へ向かって当該混合液を成分毎の層に分離し、
層毎に分離した前記混合液を流路幅方向に拡大させかつ流路厚さ方向に縮小させ、
層間の境界面よりも流路幅方向一方側で分岐させた流路部に、当該流路幅方向一方側の層に含まれる成分を流入させることを特徴とする分離回収方法。
【発明の詳細な説明】
【技術分野】
【０００１】
本発明は、複数の成分を含む混合液を成分毎に分離して回収するための分離回収チップ、及び、成分毎に分離して回収する方法であり、具体的には、血液試料に含まれる血球と血漿とを分離して血漿を回収する分離回収チップ、及び、血球と血漿とを分離して血漿を回収する方法に関する。
【背景技術】
【０００２】
近年、血液検査をチップ上で行うための技術開発が進んでおり、特に、このチップを小型化することで、必要となる血液試料の減量化、及び、試薬量の低減による検査の低コスト化が期待されている。
ところで、血液検査の主たる項目は、血液試料中の可溶性部分に基づくことから、血液試料中のほぼ半分を占める血球は、血液検査にとって不要な部分（邪魔な部分）となる。そこで、検査に先立って、血液試料から血漿のみを取り出すことが必要とされている。
【０００３】
血球と血漿とを分離する方法としては、フィルタを用いる方法、遠心器による方法、及び、重力による方法（例えば、特許文献１参照）等が挙げられ、これら各方法において、血液試料を流す流路が内部に形成されたマイクロチップが用いられている。
特許文献１に記載のマイクロチップでは、図８（Ａ）の流路の縦断面図に示すように、基板体の内部に、分離用流路９９と、この分離用流路９９から分岐している第一及び第二の流路９４，９５とが形成されており、第一の流路９４の流入口と第二の流路９５の流入口とが上下に設けられている。
血液試料が分離用流路９９を流れると血球が沈殿し、この流路９９の下流側では血球が下側を流れ、この血球による血球層９１が下側にある第二の流路９５に流入する。これに対して、血球以外の成分である血漿の大部分は、分離用流路９９の上側を流れ、上側にある第一の流路９４に流入する。
【先行技術文献】
【特許文献】
【０００４】
【特許文献１】国際公開２００７−１３６０５７号公報（図１参照）
【発明の概要】
【発明が解決しようとする課題】
【０００５】
前記特許文献１に記載の流路構造によれば、下側の流路９５に血球が流れ、上側の流路９４に血漿が流れ、血漿を血球から分離して回収することが可能となる。
しかし、血漿を流す上側の流路９４へ、血球が混入しないようにするためには、流路９４，９５の分岐部となる分岐壁９３を、血漿層９０と血球層９１との境界面９２上に設けるのではなく、図８（Ａ）（Ｂ）に示すように、境界面９２から所定の寸法ΔＬについて血漿層９０側に設け、境界面９２と分岐壁９３との間に安全マージン層Ｍ（図８（Ｂ）のダブルハッチで示している部分）を設ける必要がある。
【０００６】
この安全マージン層Ｍは、血漿を回収するための上側の流路９４へ血球が混入しないようにするための余裕層であり、この安全マージン層Ｍによれば、例えば、境界面９２が血漿層９０側に安全マージン層Ｍの範囲内で変動しても、上側の流路９４へ血球が混入しないようにすることができる。
しかし、安全マージン層Ｍは血漿層９０に含まれていることから、この安全マージン層Ｍの血漿は、上側の流路９４へ流れずに、血球と共に下側の流路９５へと流れてしまい、この血漿は検査に用いられずに無駄となってしまう。
【０００７】
そこで、安全マージン層Ｍによって回収することのできない血漿量を低減するためには、分岐壁９３を境界面９２の近傍に設定すればよい。しかし、この場合、血漿を流す上側の流路９４へ血球が混入する確率が高くなってしまい、特に、血液試料の流入開始時等において境界面９２が変動すると、その確率がより一層高くなってしまう。
このように、安全マージン層Ｍによって回収不能な血漿量の低減と、血漿を流す流路９４への血球の混入防止とは、トレードオフの関係にある。
なお、このような血球及び血漿を含む血液試料以外に、複数の成分を含む他の混合液（粒子混合液）の場合も、分離・回収に関して前記のようなトレードオフの関係となる。
【０００８】
そこで、本発明の目的は、一つの成分（血球）が他の成分（血漿）へ混入するのを防止しつつ、安全マージン層によって回収不能となる所定の成分の量（血漿量）を、従来に比べて削減することが可能となる分離回収チップ及び分離回収方法を提供することにある。血液試料の場合、血漿を流す流路へ血球が混入するのを防止しつつ、安全マージン層によって回収不能な血漿量を、従来に比べて削減することが可能となる分離回収チップ及び分離回収方法を提供することにある。
【課題を解決するための手段】
【０００９】
（１）本発明は、血球及び血漿を含む血液試料が層流となって流れる流路を備え、この流路において血球と血漿とを分離して血漿を回収するための分離回収チップであって、前記血液試料を流路幅方向一方側の血漿層と流路幅方向他方側の血球層とに分離するための分離用流路と、この分離用流路の下流側に設けられ、前記血漿層の血漿を流入させる第一流路部及び前記血球層の血球を流入させる第二流路部を有する回収流路とを備え、前記回収流路は、前記分離用流路と比較して前記流路幅方向に拡大されかつ流路厚さ方向に縮小されている断面変化流路部と、この断面変化流路部を流れる血漿層と血球層との境界面よりも血漿層側に設けられ当該断面変化流路部を前記第一流路部と前記第二流路部とに分岐させる分岐部とを有していることを特徴とする。
【００１０】
本発明によれば、回収流路の断面変化流路部では、分離用流路と比較して流路幅方向の寸法が拡大されかつ流路厚さ方向の寸法が縮小されているので、この断面変化流路部を流れる血液試料の血漿層を、流路幅方向に拡大させかつ流路厚さ方向に縮小することができる。このため、断面変化流路部を流れる血漿層と血球層との境界面よりも血漿層側に、従来と同じ幅の安全マージン層を有するようにして、分岐部を設けても、その安全マージン層の横断面を従来に比べて小さくすることができ、この結果、安全マージン層によって回収不能な血漿量を、従来に比べて削減することが可能となる。また、従来と同じ幅（血漿を流入させる第一流路部への血球の混入を防止可能とする幅）の安全マージン層を有するようにして、分岐部を設けることで、血漿を流す第一流路部へ血球が混入するのを防止することができる。なお、前記流路厚さ方向とは、血液試料の流れ方向と流路幅方向との双方に直交する方向である。
【００１１】
（２）また、前記断面変化流路部の断面積は、前記分離用流路の断面積と同じであるのが好ましい。
この場合、分離用流路と断面変化流路部とにおける血液試料の流速を同じとすることができ、分離用流路で形成された血漿層と血球層との層流状態を、断面変化流路部においても保つことが可能となり、断面変化流路部から第一流路部へと血漿層中の血漿を安定して流入させることが可能となる。
【００１２】
（３）また、前記分離用流路は、慣性力に基づいて血漿層と血球層とに分離するために当該慣性力の作用方向が前記流路幅方向他方側となる流路構成を有し、前記断面変化流路部において、流路幅方向他方側への拡大量は、流路幅方向一方側への拡大量よりも大きいのが好ましい。
この場合、血漿層が形成される流路幅方向一方側では、流路幅方向の拡大量が小さく、流路幅の拡大による血漿層の乱れを防ぐことができる。この結果、断面変化流路部から第一流路部へと血漿層中の血漿を安定して流入させることが可能となる。
【００１３】
（４）また、前記分離回収チップは、前記分離用流路の下流側流路部と前記回収流路の前記断面変化流路部との間に設けられ、当該下流側流路部から当該断面変化流路部へと流路断面を連続的又は段階的に変化させる遷移流路を更に備えているのが好ましい。
この場合、血漿層を、流路幅方向に徐々に拡大させることでき、また、流路厚さ方向に徐々に縮小させることが可能となる。
【００１４】
（５）また、本発明は、血球及び血漿を含む血液試料を層流として流路を流し、この血液試料中の血球と血漿とを分離して血漿を回収する分離回収方法であって、前記血液試料が流路に沿って流れるに伴い当該血液試料を流路幅方向一方側の血漿層と流路幅方向他方側の血球層とに分離し、前記血漿層を流路幅方向に拡大させかつ流路厚さ方向に縮小させ、この血漿層と血球層との境界面よりも血漿層側で分岐させた流路部に、当該血漿層の血漿を流入させることを特徴とする。
【００１５】
本発明によれば、血液試料の血漿層を、流路幅方向に拡大させかつ流路厚さ方向に縮小させ、この血漿層と血球層との境界面よりも血漿層側で、従来と同じ幅の安全マージン層を有するようにして、分岐させた流路部に血漿を流入させた場合、その安全マージン層の横断面を従来に比べて小さくすることができるため、安全マージン層によって回収不能な血漿量を、従来に比べて削減することが可能となる。また、従来と同じ幅（血漿を流入させる流路部への血球の混入を防止可能とする幅）の安全マージン層を有するようにして、分岐させた流路部に血漿を流入させることで、血漿を流すこの流路部へ血球が混入するのを防止することができる。
【００１６】
（６）また、本発明は、複数の成分を含む混合液が層流となって流れる流路を備え、この流路において前記混合液を成分毎に分離して回収するための分離回収チップであって、前記混合液を流路幅方向一方側から他方側へ向かって成分毎の層に分離するための分離用流路と、この分離用流路の下流側に設けられ、分離させた各層に含まれる成分をそれぞれ流入させる流路部を複数有する回収流路とを備え、前記回収流路は、前記分離用流路と比較して前記流路幅方向に拡大されかつ流路厚さ方向に縮小されている断面変化流路部と、この断面変化流路部を流れる層間の境界面よりも流路幅方向に設けられ当該断面変化流路部を複数の前記流路部に分岐させる分岐部とを有していることを特徴とする。
【００１７】
本発明によれば、回収流路の断面変化流路部では、分離用流路と比較して流路幅方向の寸法が拡大されかつ流路厚さ方向の寸法が縮小されているので、この断面変化流路部を流れる混合液の各層を、流路幅方向に拡大させかつ流路厚さ方向に縮小することができる。このため、断面変化流路部を流れる所定の層（第一の層）とこれに幅方向他方側に隣りの層（第二の層）との境界面よりも当該所定の層（第一の層）側に、従来と同じ幅の安全マージン層を有するようにして、分岐部を設けても、その安全マージン層の横断面を従来に比べて小さくすることができ、この結果、安全マージン層によって回収不能な前記所定の層（第一の層）の成分の量を、従来に比べて削減することが可能となる。また、従来と同じ幅の安全マージン層を有するようにして、分岐部を設けることで、前記所定の層（第一の層）の成分を流す流路部へ、他の層（第二の層）の成分が混入するのを防止することができる。なお、混合液は成分毎に分離されるが、回収されるのは、複数の成分の内の一つ又は複数であってもよい。
【００１８】
（７）また、本発明は、複数の成分を含む混合液を層流として流路を流し、この混合液を成分毎に分離して回収する分離回収方法であって、前記混合液が流路に沿って流れるに伴い流路幅方向一方側から他方側へ向かって当該混合液を成分毎の層に分離し、層毎に分離した前記混合液を流路幅方向に拡大させかつ流路厚さ方向に縮小させ、層間の境界面よりも流路幅方向一方側で分岐させた流路部に、当該流路幅方向一方側の層に含まれる成分を流入させることを特徴とする。
【００１９】
本発明によれば、混合液の各層を、流路幅方向に拡大させかつ流路厚さ方向に縮小させ、この所定の層と（第一の層）とこれに幅方向他方側に隣りの層（第二の層）との境界面よりも当該所定の層（第一の層）で、従来と同じ幅の安全マージン層を有するようにして、分岐させた流路部に、所定の層（第一の層）の成分を流入させた場合、その安全マージン層の横断面を従来に比べて小さくすることができるため、安全マージン層によって回収不能な前記所定の層（第一の層）の成分の量を、従来に比べて削減することが可能となる。また、従来と同じ幅の安全マージン層を有するようにして、分岐させた流路部に、前記所定の層（第一の層）の成分を流入させることで、この流路部へ他の層（第二の層）の成分が混入するのを防止することができる。
【発明の効果】
【００２０】
本発明によれば、安全マージン層によって回収不能な血漿量（所定の層の成分の量）を、従来に比べて削減することが可能となり、また、従来と同じ幅の安全マージン層を有するようにして、分岐させた流路部に血漿（所定の層の成分）を流入させることで、この流路部へ血球（他の層の成分）が混入するのを防止することができる。
【図面の簡単な説明】
【００２１】
【図１】本発明の分離回収チップの概略構成を示す斜視図である。
【図２】分離用流路の下流側部分、遷移流路及び回収流路の上流側部分の拡大説明図である。
【図３】図２の平面図である。
【図４】（Ａ）は、図３のＮ−Ｎ矢視の断面図であり、（Ｂ）は、従来例の断面図である。
【図５】分離回収チップが有している流路の変形例を説明する説明図である。
【図６】分離回収チップの他の実施形態を示す斜視図である。
【図７】分離回収チップが有している流路の変形例を説明する説明図である。
【図８】従来のチップが備えている流路の断面図であり、（Ａ）は流路の縦断面図であり、（Ｂ）は（Ａ）のＢ−Ｂ矢視の断面図である。
【発明を実施するための形態】
【００２２】
以下、本発明の実施の形態を図面に基づいて説明する。
図１は、本発明の分離回収チップの概略構成を示す斜視図である。この分離回収チップ１（以下、単にチップ１ともいう）は、基板本体２の内部に流路３が形成されて成るものであり、本実施形態では、基板本体２は平面視円形であり薄板状の部材から構成されている。なお、図１では、内部の構成（流路３）を説明するために、基板本体２を切断して示している。流路３は、分離用流路４と、遷移流路５と、回収流路６とを有している。この流路３では、複数の成分を含む混合液が層流となって流れ、この流路３においてこの混合液を成分毎に分離して、複数の成分の内の一つ又は複数又は全てを回収するが、本実施形態では、前記混合液は、血球及び血漿を含む血液試料Ｓであり、この血液試料Ｓが層流となって流路３を流れ、この流路３において血球と血漿とを分離して血漿を回収する場合について説明する。
【００２３】
分離用流路４の一端部には、血液試料Ｓを注入する注入部７が設けられており、注入された血液試料Ｓは分離用流路４から遷移流路５を経て回収流路６へと流れる。回収流路６は、後にも説明するが第一流路部１１と第二流路部１２とを有しており、第一流路部１１の端部に第一液溜め部１３が設けられ、第二流路部１２の端部に第二液溜め部１４が設けられている。つまり、この流路３では、分離用流路４の注入部７が上流側となり、回収流路６の端部（第一液溜め部１３、第二液溜め部１４）が下流側となる。
【００２４】
分離用流路４は、血液試料Ｓを血漿層２１と血球層２２との二層に分離するための流路であり、本実施形態では、分離用流路４は円弧形状（渦巻き形状）に形成されている。この分離用流路４では、円弧（分離用流路４）の半径方向が、流路幅方向となり、この流路幅方向と血液試料Ｓの流れ方向とに直交する方向が厚さ方向となる。なお、分離用流路４の下流端における流路幅方向と、遷移流路５及び回収流路６における流路幅方向とは同方向であり、分離用流路４の下流端における厚さ方向と、遷移流路５及び回収流路６における厚さ方向とは同方向である。
【００２５】
注入部７から注入され分離用流路４を流れる血液試料Ｓのうちの血球は、遠心力によって径方向外側へ移動する。このため、分離用流路４の下流側部分（下流側流路部８）では、径方向外側に血球層２２が形成され、径方向内側に血漿層２１が形成される。
つまり、分離用流路４によれば、血液試料Ｓが、この分離用流路４を流れるに伴って、流路幅方向一方側（径方向内側）の血漿層２１と、流路幅方向他方側（径方向外側）の血球層２２との二層に分離させることができる。
このように、分離用流路４では、血液試料Ｓが、流路幅方向一方側から他方側へ向かって成分毎の層に分離される。なお、本実施形態では、前記のとおり混合液が血液試料Ｓであり、血漿層２１と血球層２２との二層に分離する場合を説明するが、混合液の種類に応じて、三層以上に分離して回収してもよい（図７参照）。
【００２６】
分離用流路４の流路断面の形状は、血漿層２１と血球層２２との二層に分離するために最適化された形状に設定されている。本実施形態に係る分離用流路４の流路断面は矩形であり、また、その流路断面は、流路４の長手方向（血液試料Ｓの流れ方向）に沿って一定であり、変化しない。
図２は、分離用流路４の下流側部分（下流側流路部８）、遷移流路５及び回収流路６の上流側部分の拡大説明図である。図３は、その平面図である。図２において、下流側流路部８の下流端の幅方向（流路幅方向）をＸ方向とし、血液試料Ｓの流れ方向をＹ方向とすると、これらＸ方向とＹ方向とに直交するＺ方向が厚さ方向（流路厚さ方向）となる。
分離用流路４の幅方向の寸法ｗ１と厚さ方向の寸法ｈ１との比（ｈ１／Ｗ１）については、様々な値を採用することが可能であり、流路３を流れる血液試料Ｓの流量に基づいて、寸法ｈ１が決定され、寸法ｗ１をパラメータとして変更される。なお、この決定・変更のための制約条件として、流体的な条件に加えて、チップ１の製作上の条件も考慮される。具体例として、寸法ｈ１を数十μｍとすることができ（例えば、２０μｍ，３０μｍ，５０μｍ等）、これに対して寸法ｗ１を数百μｍとすることができる。または、寸法ｈ１と寸法ｗ１とをそれぞれ１ｍｍ程度とすることも可能である。
【００２７】
図１と図２と図３において、回収流路６は、分離用流路４よりも下流側に設けられており、分離用流路４（下流側流路部８）と比較して流路断面が変化している断面変化流路部９と、分離用流路４において分離させた各層に含まれる成分をそれぞれ流入させる流路部を、成分毎に複数有している。つまり、回収流路６は、断面変化流路部９と、血漿層２１の血漿を流入させる第一流路部１１と、血球層２２の血球を流入させる第二流路部１２とを有している。
なお、本実施形態では、成分毎の流路部として、第一流路部１１と第二流路部１２との二つを有しているが、分離・回収する成分が例えば三つの場合、第一流路部１１と第二流路部１２と第三流路部１５とを有している（図７参照）。
【００２８】
断面変化流路部９の流路断面は矩形であり、血液試料Ｓの流れ方向に沿って直線状に延びている。また、断面変化流路部９は、回収流路６の上流側部分であり、回収流路６の下流側部分が第一流路部１１と第二流路部１２となる。
遷移流路５は、分離用流路４の下流側流路部８と回収流路６の断面変化流路部９との間に設けられ、下流側流路部８から断面変化流路部９へと流路断面を連続的に変化させる傾斜状の流路からなる。この遷移流路５の流路断面は矩形である。
【００２９】
断面変化流路部９では、分離用流路４の下流側流路部８と比較して、流路幅方向（Ｘ方向）の寸法が拡大され、かつ、流路厚さ方向（Ｚ方向）の寸法が縮小されている。つまり、断面変化流路部９の流路幅方向の寸法ｗ２は、分離用流路４の下流端における流路幅方向の寸法ｗ１よりも大きく（ｗ２＞ｗ１）、かつ、断面変化流路部９の流路厚さ方向の寸法ｈ２は、分離用流路４の下流端における流路厚さ方向の寸法ｈ１よりも小さい（ｈ２＜ｈ１）。そして、本実施形態では、断面変化流路部９の流路断面は流れ方向に沿って変化せず一定であり、また、断面変化流路部９の断面積（ｗ２×ｈ２）は、分離用流路４の下流側流路部８の下流端の断面積（ｗ１×ｈ１）と同じである。
【００３０】
このように、断面変化流路部９では、分離用流路４の下流端と比較して、流路幅方向の寸法が拡大されかつ流路厚さ方向の寸法が縮小されているので、この断面変化流路部９を流れる血液試料Ｓの血漿層２１を、流路幅方向に拡大させかつ流路厚さ方向に縮小することができる。つまり、分離用流路４の下流端では、血漿層２１の流路幅方向の寸法がＬ１であるのに対して、断面変化流路部９では、血漿層２１の流路幅方向の寸法がＬ２（Ｌ２＞Ｌ１）となる。そして、分離用流路４の下流端では、血漿層２１の流路厚さ方向の寸法が、当該下流端の流路厚さ方向の寸法と同じｈ１であるのに対して、断面変化流路部９では、血漿層２１の流路厚さ方向の寸法が、断面変化流路部９の流路厚さ方向の寸法と同じｈ２（ｈ２＜ｈ１）となる。
【００３１】
さらに、回収流路６は、断面変化流路部９を、第一流路部１１と第二流路部１２とに分岐させる分岐部として分岐壁１７を有しており、分岐壁１７は、回収流路６の下流側部分を、第一流路部１１と第二流路部１２とに区画している。第一流路部１１は、断面変化流路部９を流れている血漿層２１の血漿を流入させ、第二流路部１２は、断面変化流路部９を流れている血球層２２を流入させる。
そして、この分岐壁１７の上流端、つまり、分岐点Ｋは、断面変化流路部９を流れる血漿層２１と血球層２２との境界面２３よりも血漿層２１側に設けられている。境界面２３から分岐点Ｋまでの、流路幅方向の寸法をΔＬとしている。
【００３２】
このΔＬの領域は、境界面２３と分岐壁１７との間に形成される安全マージン層Ｍであり、この安全マージン層Ｍは、血漿を回収するための第一流路部１１へ血球が混入しないようにするための余裕層（余裕代）である。この安全マージン層Ｍによれば、境界面２３が血漿層２１側に、安全マージン層Ｍの範囲内（ΔＬの範囲内）で変動しても、第一流路部１１へ血球が混入しないようにすることができる。しかし、この安全マージン層Ｍの血漿は、第一流路部１１へ流れずに、第二流路部１２へと血球と共に流れてしまい、第二流路部１２に流れた血漿は検査に用いられない。
【００３３】
図４（Ａ）は、図３のＮ−Ｎ矢視の断面図であり、図４（Ｂ）は、従来例の断面図である。図４（Ｂ）に示す従来例は、本実施形態のような断面変化流路部９を回収流路６が有しておらず、従来例の回収流路１０６の流路断面は、その上流側の分離用流路４の流路断面と同じである。なお、分離用流路４に関しては、従来例と本実施形態とは同じである。図４（Ｂ）は、従来例の流路構造のうち、図３のＮ−Ｎ矢視に相当する部分の断面図である。
【００３４】
先ず、図４（Ｂ）の従来例について説明する。この回収流路１０６の流路幅方向の寸法及び流路厚さ方向の寸法は、その上流側の分離用流路４と同じｗ１及びｈ１である。
このため、回収流路１０６における血漿層１２１の流路幅方向の寸法は、分離用流路４における血漿層１２１の流路幅方向の寸法と同じＬ１であり、回収流路１０６における血漿層１２１の流路厚さ方向の寸法は、分離用流路４における血漿層１２１の流路厚さ方向の寸法と同じｈ１である。回収流路１０６の壁面１０６ａから前記寸法Ｌ１の位置が、血漿層１２１と血球層１２２との境界面１２３となる。
そして、この境界面１２３から血漿層１２１側に、分岐壁１１７が設けられている。分岐壁１１７と境界面１２３との間が安全マージン層Ｍとなり、安全マージン層Ｍの流路幅方向の寸法がΔＬである。このため、図４（Ｂ）の場合、クロスハッチが付されている流路断面を通過する血漿が、安全マージン層Ｍによって第一流路部１１１へ流れることができず、第二流路部１１２へと流れてしまう。
【００３５】
次に、図４（Ａ）の本実施形態について説明する。回収流路６が有する断面変化流路部９の流路幅方向の寸法ｗ２は、分離用流路４の流路幅方向の寸法ｗ１よりも大きく（Ｗ２＞Ｗ１）、この断面変化流路部９の厚さ方向の寸法ｈ２は、分離用流路４の流路厚さ方向の寸法ｈ１よりも小さい（ｈ２＜ｈ１）。
このため、断面変化流路部９における血漿層２１の流路幅方向の寸法Ｌ２は、分離用流路４における血漿層２１の流路幅方向の寸法Ｌ１よりも大きく（Ｌ２＞Ｌ１）、断面変化流路部９における血漿層２１の流路厚さ方向の寸法ｈ２は、分離用流路４における血漿層２１の流路厚さ方向の寸法ｈ２よりも小さい（ｈ２＜ｈ１）。断面変化流路部９の壁面９ａから前記寸法Ｌ２の位置が、血漿層２１と血球層２２との境界面２３となる。
そして、この境界面２３から血漿層２１側に、分岐壁１７が設けられている。分岐壁１７と境界面２３との間が安全マージン層Ｍとなり、安全マージン層Ｍの流路幅方向の寸法は、図４（Ｂ）の従来例と同じΔＬである。なお、この安全マージン層Ｍの流路幅方向の寸法ΔＬは、本実施形態と従来例との双方において、血漿を流入させる第一流路部１１，１１１への血球の混入を防止可能とする幅である。
このため、図４（Ａ）の場合、クロスハッチが付されている流路断面を通過する血漿が、安全マージン層Ｍによって第一流路部１１へ流れることができず、第二流路部１２へと流れてしまう。
【００３６】
このように、図４（Ａ）の本実施形態において、境界面２３よりも血漿層２１側に、図４（Ｂ）の従来例と同じ幅ΔＬの安全マージン層Ｍを有するようにして、分岐壁１７を設けても、その安全マージン層Ｍの横断面を、従来例に比べて小さくすることができる。この結果、この安全マージン層Ｍによって回収することのできない血漿量を、従来例に比べて削減することが可能となる。
例えば、断面変化流路部９における流路断面の流路幅方向の寸法Ｗ２が、分離用流路４のそれ（ｗ１）の２倍であり、断面変化流路部９における流路断面の流路厚さ方向の寸法ｈ２が、分離用流路４のそれ（ｈ１）の１／２倍である場合、ΔＬは、従来例と本実施形態とでは同じであることから、安全マージン層Ｍの横断面に関して比較すると、本実施形態では、従来例の１／２とすることができる。このため、安全マージン層Ｍによって回収不能な血漿量を、従来に比べて１／２に削減することが可能となる。
【００３７】
そして、幅ΔＬは、血漿を流入させる第一流路部１１への血球の混入を防止可能とする幅として設定されていることから、本実施形態において、この幅ΔＬの安全マージン層Ｍを有するようにして、分岐壁１７が設けられているため、血漿を流す第一流路部１１へ血球が混入するのを防止することができる。
【００３８】
そして、本実施形態のチップ１を用いて行うことができる分離回収方法は、血液試料Ｓが分離用流路４に沿って流れるに伴って、この血液試料Ｓを流路幅方向一方側の血漿層２１と流路幅方向他方側の血球層２２との二層に分離し、分離した血漿層２１を断面変化流路部９によって、流路幅方向に拡大させかつ流路厚さ方向に縮小させる。そして、この血漿層２１と血球層２２との境界面２３よりも血漿層２１側で分岐させた第一流路部１１に、流路厚さ方向に縮小させた血漿層２１の血漿を流入させることにより行われる。
そして、第一流路部１１を流れた血球を含まない血漿は、第一液溜め部１３（図１参照）に溜められ、第二流路部１２を流れた血球を含む血漿は、第二液溜め部１４に溜められる。
【００３９】
以上より、従来では、安全マージン層Ｍによって回収不能な血漿量の低減と、血漿を流す流路部への血球の混入防止とは、トレードオフの関係にあったが、本実施形態のチップ１及び前記分離回収方法によれば、安全マージン層Ｍによって回収不能な血漿量を、従来に比べて削減することが可能となり、かつ、幅ΔＬの安全マージン層Ｍを有するようにして、分岐させた第一流路部１１に血漿を流入させることで、この第一流路部１１へ血球が混入するのを防止することが可能となる。
【００４０】
また、本実施形態では、図２において、断面変化流路部９の断面積（ｗ２×ｈ２）は、分離用流路４の断面積（ｗ１×ｈ１）と同じとしており、分離用流路４と断面変化流路部９とにおける血液試料Ｓの流速を同じとしている。このため、分離用流路４で形成された血漿層２１と血球層２２との層流状態を、断面変化流路部９においても保つことが可能となり、断面変化流路部９から第一流路部１１へと血漿層２１中の血漿を安定して流入させることが可能となる。
【００４１】
そして、遷移流路５は、分離用流路４の下流側流路部８から回収流路６の断面変化流路部９へと、流路断面を連続的に変化させていることから、血漿層２１を、流路幅方向に滑らかに拡大させることでき、また、流路厚さ方向に滑らかに縮小させることが可能となる。なお、本実施形態では、遷移流路５の内壁面を平面によって構成し、流路断面を連続的に変化させる場合について説明したが、流路断面の変化は連続的ではなく、段階的であってもよい。つまり、遷移流路５の内壁面を階段形状に構成してもよい。
【００４２】
さらに、本実施形態では、分離用流路４は、遠心力（慣性力）に基づいて血漿層２１と血球層２２とに分離するために、遠心力（慣性力）の作用方向、つまり、中心側から半径方向外側へ向かう方向を、流路幅方向の他方として、この流路幅方向の他方側に血球層２２が形成される流路構成を有している。そして、この分離用流路４の下流側に設けられている断面変化流路部９において、図２と図３に示すように、その流路断面は、流路幅方向の他方側（血球層２２側）へ大きく拡大しているが、流路幅方向の一方側（血漿層２１側）へは拡大していない。このように、本実施形態では、断面変化流路部９において、流路幅方向他方側への拡大量が、流路幅方向一方側への拡大量よりも大きくなるように設定されている。
【００４３】
この場合、血漿層２１が形成される流路幅方向一方側では、流路幅方向の変化（拡大量）が小さくなり、分離用流路４と断面変化流路部９との間において、血漿層２１の流線の流路幅方向の変化を小さくすることができる。この結果、流路の拡大による血漿層２１の乱れを防ぐことができ、断面変化流路部９から第一流路部１１へと血漿層２１中の血漿を安定して流入させることが可能となる。
【００４４】
また、本発明の分離回収チップ１は、図示する形態に限らず本発明の範囲内において他の形態のものであってもよく、例えば、遷移流路５を省略してもよい。
【００４５】
また、図５に示すように、遷移流路５及び断面変化流路部９が、流れ方向に向かう流路の中心線を基準として、流路幅方向両側が対称の形状であってもよい。
また、分離用流路４に関して、流体力学的な効果を用いて血液試料を血漿層と血球層とに分離することができれば、図６に示すように、分離用流路４は直線形状であってもよい。
【００４６】
また、前記実施形態（図１参照）では、遠心力に基づいて、血漿層２１と血球層２２とに分離する場合を説明したが、その分離方法は他の方法であってもよく、重力に基づく方法であってもよい。つまり、血液試料Ｓが分離用流路４を流れることで、血球が沈殿しながら流路４の底部を流れ、分離用流路４の下流側において下部で血球層２２が形成され、上部で血漿層２１が形成される流路構造であってもよい。つまり、図３において、「流路幅方向他方側」を下とし、「流路幅方向一方側」を上とする流路構造であってもよい。
【００４７】
また、図４に示したように安全マージン層Ｍの幅ΔＬを従来と同じとするのではなく、従来よりも大きく設定してもよい。ただし、この場合において、幅ΔＬは、従来の安全マージン層Ｍの流路断面と同じ流路断面となる幅に設定されるのが好ましい。つまり、図４（Ａ）に示すように、流路幅方向の寸法を２倍、流路厚さ方向の寸法を１／２倍とする断面変化流路部９とした場合は、安全マージン層Ｍの幅をΔＬの２倍とすることができる。この場合、安全マージン層Ｍによって血漿を回収できない量を、従来と同じとしながら、従来よりも安全マージン層Ｍの幅（２×ΔＬ）が大きいため、血球が血漿に混入する確率を著しく低下させることが可能となる。
【００４８】
また、血液試料Ｓ以外に、創薬や成分分析のために化学反応評価を行う混合液についても、本発明のチップ１を適用することが可能である。すなわち、前記実施形態では、流路３を流れる混合液が血液試料Ｓであり、血漿層２１と血球層２２との二層に分離する場合について説明したが、混合液は他の液体（粒子混合液）であってもよく、また、混合液の種類に応じて分離数は変更自在である。例えば、混合液が三種類の成分Ａ，Ｂ，Ｃを含む場合、図７に示すように、分離用流路４では、流路幅方向一方側から他方側へ向かって成分毎の層として、第一の層３１、第二の層３２、第三の層３３に分離される。そして、この分離用流路４の下流側に回収流路６が設けられており、回収流路６は、分離させた各層に含まれる成分Ａ，Ｂ，Ｃをそれぞれ流入させる流路部として、第一流路部１１、第二流路部１２、第三流路部１５を有している。
【００４９】
さらに、回収流路６は、前記実施形態（図３）と同様の断面変化流路部９を有している。そして、この断面変化流路部９における第一の層３１の流路幅方向寸法Ｌ２−１は、分離用流路４における第一の層３１の流路幅方向寸法Ｌ１−１よりも大きく（Ｌ２−１＞Ｌ１−１）、断面変化流路部９における第二の層３２の流路幅方向寸法Ｌ２−２は、分離用流路４における第二の層３２の流路幅方向寸法Ｌ１−２よりも大きく（Ｌ２−２＞Ｌ１−２）、断面変化流路部９における第三の層３３の流路幅方向寸法Ｌ２−３は、分離用流路４における第三の層３３の流路幅方向寸法Ｌ１−３よりも大きくなる（Ｌ２−３＞Ｌ１−３）となる。また、各層３１，３２，３３の流路厚さ方向の寸法は、断面変化流路部９において分離用流路４よりも小さくなる。
【００５０】
また、回収流路６は、第一分岐部としての第一分岐壁１７と、第二分岐部としての第二分岐壁１８とを有している。断面変化流路部９を流れる三つの層３１，３２，３３のうち、第一の層３１と第二の層３２との間の境界面３４よりも寸法ΔＬ１について流路幅方向一方側に、第一分岐壁１７が設けられており、第二の層３２と第三の層３３との間の境界面３５よりも寸法ΔＬ２について流路幅方向他方側に、第二分岐壁１８が設けられている。または、図示しないが、第二分岐部１８については、境界面３５よりも流路幅方向一方側に設けられていてもよい。また、図７では、第一分岐壁１７と第二分岐壁１８とは、流れ方向に関して同じ位置にあるが、いずれか一方は、他方よりも流れ方向に下流側に位置していてもよい。
【００５１】
この図７の実施形態の場合、断面変化流路部９では、分離用流路４と比較して流路幅方向の寸法が拡大されかつ流路厚さ方向の寸法が縮小されているので、この断面変化流路部９を流れる層３１，３２，３３の各層を、流路幅方向に拡大させかつ流路厚さ方向に縮小することができる。
このため、断面変化流路部９を流れる第一の層３１とこれに幅方向他方側に隣りである第二の層３２との境界面３４よりも第一の層３１側に、従来と同じ幅の安全マージン層Ｍ１を有するようにして、分岐壁１７が設けられている場合、その安全マージン層Ｍ１の横断面を従来に比べて小さくすることができ、この結果、安全マージン層Ｍ１によって回収不能な第一の層３１の成分Ａの量を、削減することが可能となる。また、従来と同じ幅の安全マージン層Ｍ１を有するようにして、分岐壁１７を設けることで、第一の層３１の成分Ａを流す第一流路部１１へ、第二の層３２の成分Ｂが混入するのを防止することができる。
また、断面変化流路部９を流れる第二の層３２とこれに幅方向他方側に隣りである第三の層３３との境界面３５よりも第三の層３３側に、所定の安全マージン層Ｍ２を有するようにして、分岐壁１８が設けられていることで、その安全マージン層Ｍ２の横断面を小さくすることができ、この結果、安全マージン層Ｍ２によって回収不能な第三の層３３の成分Ｃの量を、削減することが可能となる。また、所定の幅の安全マージン層Ｍ２を有するようにして、分岐壁１８を設けることで、第三の層３３の成分Ｃを流す第三流路部１５へ、第二の層３２の成分Ｂが混入するのを防止することができる。そして、第二の層３２の成分Ｂは、第二流路１２を流れることができ、回収することができる。なお、混合液は成分毎に分離されるが、回収されるのは、複数の成分の内の一つ又は複数であってもよい。
【符号の説明】
【００５２】
１：分離回収チップ    ３：流路    ４：分離用流路    ５：遷移流路    ６：回収流路    ８：下流側流路部    ９：断面変化流路部    １１：第一流路部    １２：第二流路部    １７：分岐壁（分岐部）    ２１：血漿層    ２２：血球層    ２３：境界面    Ｍ：安全マージン層    Ｓ：血液試料
【図１】
2013170990.tif 000003
【図２】
2013170990.tif 000004
【図３】
2013170990.tif 000005
【図４】
2013170990.tif 000006
【図５】
2013170990.tif 000007
【図６】
2013170990.tif 000008
【図７】
2013170990.tif 000009
【図８】
2013170990.tif 000010